(57)【特許請求の範囲】
【請求項１】
主装置と複数の端末とが複数の対線からなる複合ケーブルで接続され、前記複合ケーブルが主装置と端末のそれぞれでトランスを介して他の対線と絶縁されている音声信号用対線を含む有線ページングシステムの複合ケーブルの異常検出装置において、
前記他の対線と絶縁されている前記音声信号用対線のいずれかの線または両線と、前記他の対線のいずれかの線との間に検査信号を印可する印可回路を設けるとともに、
印可された前記検査信号を検出して検査結果信号を出力する検査結果信号出力回路を備えたことを特徴とする有線ページングシステムの複合ケーブルの異常検出装置。
【請求項２】
前記音声信号用対線が主装置の放送用の増幅器と端末のスピーカとを増幅器用絶縁トランスとスピーカ用マッチングトランスを介して接続され、
前記端末には、前記音声信号用対線で送信される検査信号を検出する検査信号検出回路と、検査信号検出回路の検出に応答する応答信号を発生する応答信号発生回路を備え、
前記主装置には、応答信号発生回路からの応答信号が端末から音声信号用対線と他の対線のいずれかの線との間に送出されて入力される応答信号を検出して検査結果信号を出力する応答信号検出回路を備えていることを特徴とする請求項１に記載の有線ページングシステムの複合ケーブルの異常検出装置。
【請求項３】
前記他の対線と絶縁されている音声信号用対線のいずれかの線または両線と、前記他の対線のいずれかの線との間の検査信号の電流を検出する電流変成器と、検出された電流から短絡電流を検出して検査結果信号を出力する短絡電流検出回路を備えたことを特徴とする請求項１に記載の有線ページングシステムの複合ケーブルの異常検出装置。
【請求項４】
前記検査信号を前記他の対線と絶縁されている音声信号用対線のいずれかの線または両線と、前記他の対線のいずれかの線との間に印可する印可回路が端末に設けられていることを特徴とする請求項１に記載の有線ページングシステムの複合ケーブルの異常検出装置。
【請求項５】
前記検査信号の周波数帯域が可聴周波数以外であることを特徴とする請求項１〜４のいずれかに記載の有線ページングシステムの複合ケーブルの異常検出装置。
【請求項６】
前記検査信号の周波数が直流を含め商用周波数以下であることを特徴とする請求項１〜５のいずれかに記載の有線ページングシステムの複合ケーブルの異常検出装置。
【発明の詳細な説明】
【技術分野】
【０００１】
本発明は、主装置の放送用の増幅器が絶縁トランスを介して複合ケーブルに接続されるとともに、この複合ケーブルに複数の端末のスピーカがマッチングトランスを介して接続されている有線ページングシステムの短絡や断線による複合ケーブルの異常検出装置に関する
【背景技術】
【０００２】
工場内などの構内有線放送システムに適用されている有線ページングシステムは、警報やメッセージのスピーカからの放送あるいは各所に設置された端末間の緊急通信手段として、対象者に確実に情報を伝達することが重要である。そのためには複合ケーブルの短絡や断線の事故を的確に検出して、事故ケーブルを除去することが必要となる。
【０００３】
従来の有線ページングシステムの事故検出方式として、例えば特許文献１に「有線ページングシステムにおけるスピーカブランチ配線の断線検出方式」が開示されている。この特許文献１に開示されている断線検出方式は、主装置からスピーカブランチ配線を介して複数の端末へ検査信号を送出し、端末でスピーカブランチ配線へ接続された検査信号検出回路にて検出後、各々予め決められた発生タイミングで応答信号としてワンショットパルスを発生させ、別の線で主装置へ返信することで断線を検出し、スピーカブランチ配線へ重畳する検査信号は音声として聞き取りにくい低周波周波数であり、応答信号のワンショットパルスの発生タイミングで端末を区別するものである。
【先行技術文献】
【特許文献】
【０００４】
【特許文献１】特開２００４−２６０４０８号公報
【発明の概要】
【発明が解決しようとする課題】
【０００５】
前記特許文献１に示される応答信号は、事故検出用に専用線が必要となる。しかしながら、既設のケーブルの事故検出を行う場合には、事故検出用の専用線や事故検出用に既設ケーブルの空き回線があるとは限らない。
【０００６】
そこで、本発明は、有線ページングシステムの複合ケーブルにおいて、検出用の専用線を設けることなく短絡や断線による複合ケーブルの異常の検出が可能な複合ケーブルの異常検出装置を提供するものである。
【課題を解決するための手段】
【０００７】
本発明は、有線ページングシステムにおいて、主装置から放送用の増幅器が絶縁トランスを介して複合ケーブルに接続され、複数の端末においてもマッチングトランスを介してスピーカが接続されていることに着目し、放送用の対線は主装置にて絶縁トランスで端末においてはマッチングトランスで主装置側の回路と端末側の回路と絶縁されていることから、複合ケーブルの他の線と放送用の対線とは絶縁されていることになり、その間に信号を印可しても他回路への影響はない、という知見に基づいて発明されたものである。
【０００８】
請求項１の発明は、主装置と複数の端末とが複数の対線からなる複合ケーブルで接続され、前記複合ケーブルが主装置と端末のそれぞれでトランスを介して他の対線と絶縁されている音声信号用対線を含む有線ページングシステムの複合ケーブルの異常検出装置において、前記他の対線と絶縁されている前記音声信号用対線のいずれかの線または両線と、前記他の対線のいずれかの線との間に検査信号を印可する印可回路を設けるとともに、  印可された前記検査信号を検出して検査結果信号を出力する検査結果信号出力回路を備えたことを特徴とする有線ページングシステムの複合ケーブルの異常検出装置である。
【０００９】
請求項２の発明は、前記音声信号用対線が主装置の放送用の増幅器と端末のスピーカとを増幅器用絶縁トランスとスピーカ用マッチングトランスを介して接続され、前記端末には、前記音声信号用対線で送信される検査信号を検出する検査信号検出回路と、査信号検出回路の検出に応答する応答信号を発生する応答信号発生回路を備え、前記主装置には、応答信号発生回路からの応答信号が端末から音声信号用対線と他の対線のいずれかの線との間に送出されて入力される応答信号を検出して検査結果信号を出力する応答信号検出回路を備えていることを特徴とする請求項１に記載の有線ページングシステムの複合ケーブルの異常検出装置である。
【００１０】
請求項３の発明は、前記他の対線と絶縁されている音声信号用対線のいずれかの線または両線と、前記他の対線のいずれかの線との間の検査信号の電流を検出する電流変成器と、検出された電流から短絡電流を検出して検査結果信号を出力する短絡電流検出回路を備えたことを特徴とする請求項１に記載の有線ページングシステムの複合ケーブルの異常検出装置である。
【００１１】
請求項４の発明は、前記検査信号を前記他の対線と絶縁されている音声信号用対線のいずれかの線または両線と、前記他の対線のいずれかの線との間に印可する印可回路が端末に設けられていることを特徴とする請求項１に記載の有線ページングシステムの複合ケーブルの異常検出装置である。
【００１２】
請求項５の発明は、前記検査信号の周波数帯域が可聴周波数以外であることを特徴とする請求項１〜４のいずれかに記載の有線ページングシステムの複合ケーブルの異常検出装置である。
【００１３】
請求項６の発明は、前記検査信号の周波数が直流を含め商用周波数以下であることを特徴とする請求項１〜５のいずれかに記載の有線ページングシステムの複合ケーブルの異常検出装置である。
【発明の効果】
【００１４】
本発明により事故検出用に空き回線のない有線ページングシステムの複合ケーブルについて、検出用の専用線を設けることなく、既設のケーブルを利用して複合ケーブルの短絡や断線による複合ケーブルの異常を検出することが可能となる。
【図面の簡単な説明】
【００１５】
【図１】有線ページングシステムを示すブロック図である。
【図２】本発明の第１の実施形態のブロック図である。
【図３】本発明の第２の実施形態のブロック図である。
【図４】本発明の第３の実施形態のブロック図である。
【発明を実施するための形態】
【００１６】
本発明が適用される有線ページングシステムは、図１に示すように、主装置１、端末３、主装置１と端末３とを接続する複合ケーブル２からなり、主装置１の放送用の増幅器１２が増幅器用絶縁トランス１４を介して複合ケーブル２に接続されるとともに、この複合ケーブル２に端末３のスピーカ３４がマッチングトランス３３を介して接続されている。
【００１７】
主装置１に入力される音声信号１５は、増幅器１２で増幅され、増幅器用絶縁トランス１４を介して複合ケーブル２の音声信号配線対線２１により端末３に送信され、スピーカ用マッチングトランス３３を介してスピーカ３４から放送される。
【００１８】
主装置１の増幅器１２や別回路１３の電力は電源１１から供給される。端末３の電力は主装置１の電源１１から電源用対線２３にて端末電源３１に供給され、ＤＣ／ＤＣ変換されて端末の別回路３２へ供給される。
【００１９】
主装置１や端末３には放送機能と別の制御機能や会話機能があり、別回路１３や端末別回路３２が別回路用対線２２で接続されている。ここで別回路１３や端末別回路３２、別回路用対線２２は複数存在する回路を総称している。また、端末３も複数存在し、それに伴い音声信号用対線２１や別回路用対線２２や電源用対線２３は分岐され各端末３に接続されている。
【００２０】
更に電源１１は主装置１以外の複数の他主装置へも電源を供給している。
【実施例１】
【００２１】
本実施例は、図１に示す有線ページングシステムにおいて、検査信号を音声信号用対線２１に送出し、端末３で検査信号を検出し、その応答信号を主装置１で検出して音声信号用対線の短絡や断線による複合ケーブルの異常を検出する例である。
【００２２】
図２において、検査信号１９が主装置１の音声信号１５と検査信号１９の切替回路１６に入力され、増幅器１２で増幅され、増幅器用絶縁トランス１４を介して音声信号用対線２１により端末３に送信される。
【００２３】
端末３では検査信号１９がスピーカ用マッチングトランス３３を介して検査信号検出回路３５に送信される。検査信号検出回路３５での検出結果は、検査信号検出回路３５に接続された応答信号発生回路３６に送られ、応答信号発生回路３６では検出結果に基づいて応答信号が発生し、信号用絶縁トランス３７を介して主装置１へ返信される。
【００２４】
信号用絶縁トランス３７の２次側の一方は、主装置１側の増幅器用絶縁トランス１４と端末３側のスピーカ用マッチングトランス３３とにより主装置１と端末３の各回路および複合ケーブル２の他の各線と絶縁された音声信号用対線２１に接続され、他方は電源用対線２３の電源用グランド線２３１に接続されている。
【００２５】
音声信号用対線２１と電源用グランド線２３１の間に送信され、主装置１へ返信された応答信号は、音声信号用対線２１と電源用グランド線２３１に接続された信号用絶縁トランス１７を介して検査結果信号出力回路１８へ送られる。検査結果信号出力回路（応答信号検出回路１８）では、応答信号の検出の有無により音声信号用対線２１の短絡断線の検査結果信号１１０を発生させる。応答信号が検出された場合には事故はなく、未検出の場合には短絡や断線が発生していると判定される。
【００２６】
また，応答信号に端末固有の例えば周波数や発生タイミングを割り振ることで、応答信号検出回路１８がここでは記載していないが、周波数分別器やタイミング計測機能を有し端末固有の信号の未検出で異常の発生した複合ケーブル２を特定可能である。
【００２７】
音声信号用対線２１は他の線と絶縁されており、双方の線の間を応答信号の伝送路とすることで空き回線がなくても複合ケーブルの断線や短絡を検出する機能を構築することができる。これによりページングに使用される音声信号用対線の異常の検出が可能となる。
【００２８】
本実施例において使用する検査信号の帯域は、複合ケーブルの長距離の敷設に伴う線間の静電容量の影響を低減するために低周波域が好ましい。またページングで使用する音声帯域への影響や商用周波数が雑音となることを考慮して、検査信号は商用周波数以下の１０Ｈｚとする。
【実施例２】
【００２９】
本実施例は、検査信号を印可する線間の短絡による複合ケーブルの異常を検出する実施例で、線間の抵抗の低下により発生する信号の電流を検出する例である。
【００３０】
図３において、主装置１へ検査信号１９が入力され、検査信号用増幅器１１１で増幅されて検査信号増幅用絶縁トランス１１２へ送られ、検査信号増幅用絶縁トランス１１２の２次側で音声信号用対線２１と電源用グランド線２３１との間に印加される。
【００３１】
音声信号用対線２１は他の線と絶縁されており、通常は信号の戻りの回路が形成されていないために検査信号の電流は流れることはない。そこで、検査信号の電流を検査信号増幅用絶縁トランス１１２の２次側で電流変成器１１３により計測し、検査結果信号出力回路（短絡電流検出回路１１４）で検査信号の電流の検出の有無で検査結果信号１１０を出力する。
【００３２】
本実施例で検出する事故は音声信号用対線２１と電源用グランド線２３１間の短絡である。電源用グランド線２３１は電源１１に接続されており、電源１１を介して主装置１の全ての回路や端末電源３１および端末の全ての回路とも接続されているため、電源用対線２３と音声信号用対線２１、別回路用対線２２との短絡が検出可能である。
【００３３】
検査信号増幅器１１１を電源１１から絶縁された直流電源印可回路とし、電流変成器１１３を直流検出可能なホール素子とすることで検査信号増幅器用絶縁トランス１１２を不要とすることも可能である。
【実施例３】
【００３４】
本実施例は、端末が検査信号を印加する印可回路を具備するとともに、主装置が検査信号の受信回路を具備し、端末固有の検査信号の有無を確認することで複合ケーブルの短絡断線を検出する例である。
【００３５】
図４において、端末３に検査信号発生装置３８が配置され、検査信号発生装置３８に接続された信号用絶縁トランス３７の２次側が音声信号用対線２１と電源用グランド線２３１とに接続され、その間に検査信号が印加される。
【００３６】
検査信号は、主装置１で信号用絶縁トランス１７を介して検査結果信号出力回路（検査信号検出回路１１５）で信号の有無を検出し、検査結果信号１１０を送出する。
【００３７】
図２では検査信号を主装置１から送信するためには増幅器１２を介し、ある程度の電力の消費を伴う。しかし、本実施例の場合には、音声信号用対線２１と電源用グランド線２３１とは絶縁されているので、信号の印加には電力の消費は伴わない。そのため常時や定期での信号印加は容易である。
【００３８】
また、検査信号に端末固有の例えば周波数や発生タイミングを割り振ることで、検査信号検出回路１１５がここでは記載していないが、周波数分別器やタイミング計測機能を有し端末固有の信号の未検出で異常の発生した複合ケーブル２を特定可能である。
【００３９】
音声信号用対線２１は他の線と絶縁されており、双方の線の間を検査信号の伝送路とすることで空き回線がなくても短絡断線検出の機能を構築することができる。これによりページングに使用される音声信号用対線の断線や短絡による複合ケーブルの異常が検出可能となる。
【００４０】
実施例１、２、３から異常ケーブルの特定と除去および異常ケーブルが接続された主装置１の特定による切離しにより電源１１が電力供給している複数の他主装置を健全に運用することが可能となる。
【符号の説明】
【００４１】
１：主装置
２：複合ケーブル
３：端末
１１：電源
１２：増幅器
１３：別回路
１４：増幅器用絶縁トランス
１５：音声信号
１６：切替回路
１７：信号用絶縁トランス
１８：応答信号検出回路
１９：検査信号
２１：音声信号配線対線
２２：別回路用対線
２３：電源用対線
３１：端末電源
３２：端末別回路
３３：スピーカ用マッチングトランス
３４：スピーカ
３５：検査信号検出回路
３６：応答信号発生回路
３７：信号用絶縁トランス
３８：検査信号発生回路
１１０：検査結果信号
１１１：検査信号用増幅器
１１２：検査信号増幅用絶縁トランス
１１３：電流変成器
１１４：短絡電流検出回路
１１５：検査信号検出回路
２３１：電源用グランド線
【図１】
0005704690.tif 000002
【図２】
0005704690.tif 000003
【図３】
0005704690.tif 000004
【図４】
0005704690.tif 000005